(57)【要約】      （修正有）【課題】花びらを適切な形状に整えやすくした造花を提供する。【解決手段】造花１は、発泡スチロール又はウレタンにより形成された芯部１１１と、芯部１１１に固定された複数の花びら１１２と、芯部１１１に接続された接続部材１２３を有する茎部１２１と、を有する。芯部１１１は、例えば球面状又は楕円球面状の領域を少なくとも一部に有する卵形状又はお椀形状をしている。【選択図】図２
2016176171.tif 000002
【特許請求の範囲】
【請求項１】
発泡スチロール又はウレタンにより形成された芯部と、
前記芯部に固定された複数の花びら部と、
前記芯部に接続された棒状部材を有する茎部と、
を有する造花。
【請求項２】
前記芯部が、球面状又は楕円球面状の領域を少なくとも一部に有する、
請求項１に記載の造花。
【請求項３】
前記芯部が卵形状である、
請求項２に記載の造花。
【請求項４】
前記芯部が、球面状の外表面と球面状の内表面とを有するお椀形状である、
請求項２に記載の造花。
【請求項５】
前記芯部の前記球面状又は楕円球面状の領域の少なくとも一部が、前記複数の花びら部と同一の色彩の紙により覆われている、
請求項２から４のいずれか１項に記載の造花。
【請求項６】
前記茎部は、前記芯部と着脱可能に接続されている、
請求項１から５のいずれか１項に記載の造花。
【請求項７】
前記芯部の水平方向における面積が最大の断面が、直径５ｃｍ以上の円形である、
請求項１から６のいずれか１項に記載の造花。
【請求項８】
発泡スチロール又はウレタンにより形成された芯部と、
前記芯部に固定される複数の花びら部と、
前記芯部に接続される棒状部材を有する茎部と、
を有する造花キット。
【請求項９】
発泡スチロール又はウレタンにより形成された芯部と、複数の花びら部と、棒状部材を有する茎部と、を準備するステップと、
前記芯部に複数の花びら部を固定するステップと、
前記花びら部を固定するステップの後に、前記茎部を前記芯部に接続するステップと、
を有する造花の製造方法。
【発明の詳細な説明】
【技術分野】
【０００１】
本発明は、造花、造花キット及び造花の製造方法に関する。
【背景技術】
【０００２】
従来、芯材と、芯材の周囲に花びらが固定された造花が知られている。特許文献１には、芯材に芳香剤をしみこませることにより香りを放出する造花が開示されている。
【先行技術文献】
【特許文献】
【０００３】
【特許文献１】実用新案登録第３１７００５３号公報
【発明の概要】
【発明が解決しようとする課題】
【０００４】
近年、ジャイアントフラワーという造花が普及しつつある。ジャイアントフラワーは、直径が例えば３０ｃｍ以上もあり、結婚披露宴や展示会に彩りを添える装飾品として人気が上昇している。華やかさを演出するために、より大きなジャイアントフラワーが求められているが、サイズを大きくすると、紙や布などの薄い素材が用いられる花びらを適切な形状に整えることが困難であるという問題があった。
【０００５】
そこで、本発明はこれらの点に鑑みてなされたものであり、造花の花びらを適切な形状に整えやすくすることを目的とする。
【課題を解決するための手段】
【０００６】
本発明の第１の態様においては、発泡スチロール又はウレタンにより形成された芯部と、前記芯部に固定された複数の花びら部と、前記芯部に接続された棒状部材を有する茎部と、を有する。
【０００７】
本発明の第２の態様においては、発泡スチロール又はウレタンにより形成された芯部と、前記芯部に固定される複数の花びら部と、前記芯部に接続される棒状部材を有する茎部と、を有する造花キットを提供する。
【０００８】
本発明の第３の態様においては、発泡スチロール又はウレタンにより形成された芯部と、複数の花びら部と、棒状部材を有する茎部と、を準備するステップと、前記芯部に複数の花びら部を固定するステップと、前記花びら部を固定するステップの後に、前記茎部を前記芯部に接続するステップと、を有する造花の製造方法を提供する。
【発明の効果】
【０００９】
本発明によれば、紙や布などの薄い素材が用いられる花びらを適切な形状に整えることができるという効果を奏する。
【図面の簡単な説明】
【００１０】
【図１】第１の実施形態に係る造花１の外観を示す図である。
【図２】造花１の断面図である。
【図３】卵形状の芯部１１１の一例を示す図である。
【図４】芯部１１１の変形例を示す図である。
【発明を実施するための形態】
【００１１】
図１は、第１の実施形態に係る造花１の外観を示す図である。図１（ａ）は、造花１の正面図であり、図１（ｂ）は、造花１の背面図である。図２は、図１（ａ）におけるＡ−Ａ線断面図である。造花１は、花部１１と茎部１２とを有する。図１（ｃ）は、花部１１から取り外された状態の茎部１２の外観を示す図である。花部１１は、芯部１１１と、複数の花びら１１２と、愕１１３と、を有する。茎部１２は、茎１２１と、接着剤１２２と、接続部材１２３と、葉１２４と、を有する。
【００１２】
芯部１１１は、花びら１１２を固定する部材であり、棒状の接続部材１２３を押し付けることにより容易に穴をあけることができる。芯部１１１は、例えば発泡スチロール又はウレタンを含んで形成されている。
【００１３】
芯部１１１は、球面状又は楕円球面状の表面の領域を有している。例えば、芯部１１１は、卵形状、お椀形状、球状又は楕円球状等の形状を有しており、水平方向の断面は円形である。
【００１４】
図３は、卵形状の芯部１１１の一例を示す図である。卵形状とは、鶏卵のように、長手方向の一端の曲率半径が、他端の曲率半径よりも小さい楕円球面状の表面を有する形状をいう。芯部１１１ａの表面には、花びら１１２と同一の色彩の紙が貼られている。
【００１５】
芯部１１１の水平方向における最も大きい断面の直径は、例えば５ｃｍ以上である。芯部１１１の直径は、花部１１の直径及び紙の厚みに基づいて定められている。花部１１の直径とは、花部１１の輪郭線を含む最小の円の直径である。芯部１１１の直径は、造花１の直径の１０％以上５０％未満である。芯部１１１の直径は、花びら１１２の厚みが小さければ小さいほど大きいことが好ましい。芯部１１１の直径が大きければ大きい程、花びら１１２が芯部１１１に接着される領域の面積が大きくなるので、花びら１１２の形状を整えやすくなる。例えば、紙の厚みが０．１０ｍｍであり、造花１の直径が５０ｃｍである場合、芯部１１１の直径は１０ｃｍである。
【００１６】
花びら１１２は、例えば、紙により形成されている。花びら１１２は、芯部１１１の球面状又は楕円球面状の凸表面に、接着剤によって接着されることにより固定されている。接着剤は、例えば、所定の温度以上において流動性を有しており、所定の温度未満で硬化する素材により構成されている。花びら１１２の一部の領域が、芯部１１１の球面状又は楕円球面状の凸表面に固定されることにより、花びら１１２の一部の領域が凸表面の形状に合うように変形する。その結果、花びら１１２の形状が整った状態で維持されやすくなる。
【００１７】
造花１は、複数の花びら１１２を有しており、芯部１１１から離れるにつれて、花びら１１２が大きくなるように配置されている。花びら１１２を形成している紙の厚みは、０．０５ｍｍ以上０．２０ｍｍ未満であることが望ましい。
【００１８】
愕１１３は、最も外側に固定されている花びら１１２に接着されている。すなわち、愕１１３は、花びら１１２と茎１２１との間において固定されている。
【００１９】
茎１２１は、変形可能な複数の金属線と、複数の金属線を包含する樹脂により形成されている。茎１２１の芯部１１１に近い側の端部は凹部を有しており、凹部には接着剤１２２が充填されている。茎１２１の中心には、接着剤１２２により、芯部１１１に挿入される接続部材１２３が固定されている。接続部材１２３は、例えば茎１２１に含まれている金属線と同一の素材により形成されており、芯部１１１の長手方向の長さの３分の１以上の長さを有している。
【００２０】
［造花１の製造方法］
続いて、造花１の製造方法について説明する。
まず、芯部１１１と、芯部１１１を覆う紙と、複数の花びら１１２と、愕１１３と、茎１２１と、接続部材１２３と、を準備する。芯部１１１は、上述の通り、発泡スチロール又はウレタンのように花びら１１２の素材よりも比重が小さい固形素材で形成されている。次に、芯部１１１の表面に接着剤を塗布して、芯部１１１を覆う紙を貼り付ける。
【００２１】
続いて、芯部１１１の長手方向の一端に近い側の表面に接着剤を塗布し、複数の花びら１１２を貼り付ける。複数の花びら１１２を芯部１１１に貼り付けた後に、芯部１１１に固定された複数の花びら１１２における芯部１１１と反対側の面に接着剤を塗布し、新たな複数の花びら１１２を貼り付ける。最後の花びら１１２を貼り付けた後に、最も外側の複数の花びら１１２における芯部１１１と反対側の面に接着剤を塗布し、愕１１３を貼り付ける。以上の手順により、花部１１が完成する。
【００２２】
また、茎１２１の先端の凹部に接着剤を充填し、接着剤を貫通するように接続部材１２３を茎１２１に挿入する。その後、接着剤が硬化するまで待機する。これにより、接続部材１２３が茎１２１に固定される。以上の手順により、茎部１２が完成する。
【００２３】
続いて、花部１１に茎部１２を接続する。具体的には、花部１１における愕１１３が固定されている側に、茎部１２の接続部材１２３を挿入する。芯部１１１が発泡スチロール又はウレタンにより形成されている場合、金属製の棒状の接続部材１２３を押し付けることにより芯部１１１に穴が開き、花部１１と茎部１２とが結合する。以上の手順により、造花１が完成する。
【００２４】
［変形例］
図４は、芯部１１１の変形例である芯部１１１ａを示す図である。図４（ａ）は、芯部１１１ａを斜めから撮影した写真であり、図４（ｂ）は、断面図である。図４に示すように、芯部１１１ａは、お椀形状であってもよい。お椀形状とは、第１の直径の半球面状の外壁面と、第１の直径よりも小さな第２の直径の半球面状の内壁面とを有する形状であり、内壁面は凹んでいる。お椀形状の芯部１１１ａの外壁面には、花びら１１２を貼り付けることができる。また、お椀形状の芯部１１１ａの内壁面には、めしべやおしべを模した部材を貼り付けることができる。このように、芯部１１１ａの形状をお椀形状にすることにより、花びら１１２の形を整えやすくなるとともに、めしべやおしべを模した部材を設けることができるので、めしべやおしべに特徴がある造花を製造することが可能になる。
【００２５】
＜第２の実施形態＞
第１の実施形態においては、芯部１１１と、花びら１１２と、愕１１３と、茎１２１と、葉１２４とを有する造花１について説明したが、芯部１１１と、花びら１１２と、愕１１３と、茎１２１と、接着剤１２２と、接続部材１２３と、葉１２４とが、互いに結合されていない造花キットとして提供されてもよい。造花キットを使用するユーザは、第１の実施形態において説明した造花１の製造方法を用いて、造花１を製造することができる。
【００２６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。例えば、上記の説明において、花びら１１２が紙により形成されている場合について説明したが、これに限らず、花びら１１２は、布やプラスチック等の他の素材により形成されていてもよい。
【符号の説明】
【００２７】
１  造花
１１  花部
１２  茎部
１１１  芯部
１１２  花びら
１１３  愕
１２１  茎
１２２  接着剤
１２３  接続部材
１２４  葉
【図２】
2016176171.tif 000003
【図１】
2016176171.tif 000004
【図３】
2016176171.tif 000005
【図４】
2016176171.tif 000006